(57)【特許請求の範囲】
【請求項１】
ガラス製品を支持してガラス製品の基準面を出す４つの支持部材を有し、その４つの支持部材のうち対角位置にある少なくとも一対の支持部材が浮動機構によって上下移動自在に設けられたガラス製品の基準面出し装置において、
前記浮動機構は、
前記一対の支持部材の支持部材間に設けられた長尺状のプレートと、
前記プレートを長手方向中心軸を中心に揺動自在に支持する揺動支持手段と、
前記一対の支持部材の下部に設けられると共に、前記プレートの長手方向中心軸から偏寄した位置に当接されるローラと、
前記プレートに設けられ、前記ローラを有する支持部材の重量によりプレートに生じる回転力を相殺するようにプレートに逆方向回転力を与えるバランスウエイト部材と、
から成ることを特徴とするガラス製品の基準面出し装置。
【請求項２】
前記揺動支持手段はナイフエッジ部材であることを特徴とする請求項１記載のガラス製品の基準面出し装置。
【発明の詳細な説明】
【０００１】
【発明の属する技術分野】
本発明は、ＴＶブラウン管及びＣＲＴ等のパネル、ファンネル等のガラス製品の基準面を出すためのガラス製品の基準面出し装置に関する。
【０００２】
【従来の技術】
ＴＶブラウン管及びＣＲＴ等のパネルやファンネルを製造する工程には、パネルやファンネルの基準面を出してこれらの形状寸法を測定したり、スタッドピンやアノードボタンを正確な位置に溶着する工程がある。このため、従来では、その基準面を基準面出し装置によって出している。
【０００３】
基準面出し装置として特公昭４７−８２６０号公報に開示されたものは、パネルを支持する４つの支持部材を有し、このうち対角に位置する一対の支持部材を浮動機構により上下移動自在に支持している。前記浮動機構は、一対の支持部材を連結する腕がコ字状に形成されて側方に張り出しており、また、この腕は中央部がベアリングに支持されると共にバランスウェイトによって回転力が相殺されている。
【０００４】
一方、特公昭４９−３８７３９号公報に開示された基準面出し装置は、パネルを支持する４つの支持部材を有し、このうち対角に位置する一対の支持部材をスプリングにより上下移動自在に支持している。
【０００５】
【発明が解決しようとする課題】
しかしながら、特公昭４７−８２６０号公報の基準面出し装置では、一対の支持部材を連結する腕が側方に張り出しているので、装置全体が大型になるという欠点がある。
また、前記基準面出し装置の浮動機構は、支持部材をベアリングによって揺動自在に支持した揺動アームに支持部材を取付け、この状態で昇降動ガイドにより摺動案内されるようになっているので揺動抵抗が大きく、よって軽量のガラス製品の場合には揺動しない場合があるので使用できない欠点がある。
【０００６】
また、特公昭４９−３８７３９号公報の基準面出し装置は、一対の支持部材をスプリングによって支持しているので、スプリングのばね定数が大きい場合には、軽量のガラス製品が下降移動しない場合があり使用できない欠点がある。
本発明はこのような事情に鑑みてなされたもので、ガラス製品を上下移動自在に支持する支持部材の浮動機構をコンパクト化して装置の小型化を図ることができるガラス製品の基準面出し装置を提供することを目的とする。
【０００７】
【課題を解決する為の手段】
本発明は、前記目的を達成する為に、ガラス製品を支持してガラス製品の基準面を出す４つの支持部材を有し、その４つの支持部材のうち対角位置にある少なくとも一対の支持部材が浮動機構によって上下移動自在に設けられたガラス製品の基準面出し装置において、前記浮動機構は、前記一対の支持部材の支持部材間に設けられた長尺状のプレートと、前記プレートを長手方向中心軸を中心に揺動自在に支持する揺動支持手段と、前記一対の支持部材の下部に設けられると共に、前記プレートの長手方向中心軸から偏寄した位置に当接されるローラと、前記プレートに設けられ、前記ローラを有する支持部材の重量によりプレートに生じる回転力を相殺するようにプレートに逆方向回転力を与えるバランスウエイト部材と、から成ることを特徴としている。
【０００８】
請求項１記載の発明によれば、浮動機構によって上下移動自在な一対の支持部材にガラス製品を載置すると、ガラス製品の自重で一対の支持部材が下降移動し始める。これと同時に、ガラス製品が一対の支持部材を結ぶ対角線回りに傾いて、固定側の一対の支持部材の一つの支持部材に当接する。そして、ガラス製品の継続する下降移動によって、ガラス製品が固定側の残りの支持部材に当接した時に、ガラス製品が４点支持されて基準面が出される。
【０００９】
本発明の浮動機構は、上下移動する一対の支持部材の下部にローラを設け、このローラを、揺動支持手段で支持されたプレートにころがり接触させた機構としているので、浮動機構がコンパクトになり装置が小型化する。
また、前記浮動機構によれば、一対の支持部材にガラス製品の自重がかかると、前記ローラはプレート上を転動しながらプレートを押して下降する。このとき、支持部材とプレートとは単に接触しているだけで連結していないので、プレートが揺動しても支持部材は昇降ガイドに沿って上下し、このガイド部に横方向の力を一切与えない。これにより、一対の支持部材が円滑に下降移動する。そして、ガラス製品の基準面出し終了後に、ガラス製品を４つの支持部材から取り外すと、前記プレートがバランスウェイト部材によって逆方向に揺動して元の位置に復帰する。この時、前記ローラはプレートに押されてプレート上を転動しながら上昇するので、一対の支持部材が円滑に上昇移動する。
【００１０】
請求項２記載の発明は、前記プレートをナイフエッジ部材によって揺動自在に支持したものである。このように、プレートをナイフエッジ部材で支持すると、特公昭４７−８２６０号公報のようにベアリングで支持する装置や、特公昭４９−３８７３９号公報のようにスプリングで支持する装置と比較して、揺動抵抗を大幅に低減することができる。よって、本発明は、従来の基準面出し装置と比較して、軽量のガラス製品でも使用することができる。
【００１１】
【発明の実施の形態】
以下添付図面に従って本発明に係るガラス製品の基準面出し装置の好ましい実施の形態について詳説する。
図１は、本発明の実施の形態に係るガラス製品の基準面出し装置の上面図、図２は図１中矢印Ａ方向からみた基準面出し装置の側面図である。
【００１２】
これらの図に示す基準面出し装置１０は、図中二点鎖線で示すＴＶブラウン管用パネル１２の内面から基準面を出すための装置であり、パネル１２の内側面に設けられるスタッドピンの溶着位置を位置決めするための装置として適用される。
前記基準面出し装置１０は、パネル１２の内面に当接される一対の固定ピン（支持部材）１４、１４、及び一対の浮動ピン（支持部材）１６、１６を主な構成としており、固定ピン１４、１４は基板１８上に立設され、浮動ピン１６、１６は浮動機構２０を介して基板１８上に設けられている。
【００１３】
図３は、浮動機構２０によって浮動ピン１６、１６が上下移動自在に支持されている状態を示す斜視図、図４は浮動機構２０の要部を示す斜視図である。
図３に示すように前記浮動機構２０は、主としてプレート２２、揺動支持部２４、ローラ２６、及びバランスウェイト２８から構成される。前記プレート２２は、長尺状に形成されて一対の浮動ピン１６、１６間に設けられ、その両端部が揺動支持部２４に揺動自在に支持されている。例示のプレート２２は全体が一様の板状であるが、ローラ２６の接触部が平面であれば、その他の部分の形態は自由に変えられる。
【００１４】
前記揺動支持部２４は図３、図４に示すように、プレート２２の端部に固着された半円柱状の受け部材３０と、先端３２Ａがナイフエッジ状に形成されたサポート部材３２とから構成される。前記受け部材３０の下面には円弧状の溝３０Ａが形成されている。この溝３０Ａは、前記プレート２２の長手方向中心軸２３の延長上に形成されており、この溝３０Ａが前記サポート部材３２の先端部３２Ａ上に載置されている。これにより、前記プレート２２は、サポート部材３２の先端３２Ａを支点として、即ち、ナイフエッジを支点として長手方向中心軸２３を中心に揺動自在となっている。なお、符号３４は、サポート部材３２を基板１８に固定するためのブロックである。
【００１５】
前記ローラ２６は、浮動ピン１６、１６の下部に設けられた二叉部材３６に軸３８を介して回転自在に設けられている。また、前記ローラ２６は図４に示すように、プレート２２の長手方向中心軸２３に対して一方側に偏寄した位置に転動自在に当接されている。
前記バランスウェイト２８は、長さ調整用バー４０を介してプレート２２の側面に取り付けられている。前記バー４０は、プレート２２に対して螺合連結されており、回転されることによりプレート２２に対するバランスウェイト２８の距離を調整することができる。これにより、バランスウェイト２８でプレート２２に与える回転モーメントの大きさを調整することができる。本実施の形態では、浮動ピン１６びローラ２６の重量によってプレート２２に生じる回転力を相殺する大きさより僅かに大きい前記回転モーメントが設定されている。このバランスウェイトはバネ力を調節できるバネ等により代替できる。
【００１６】
図３において、浮動ピン１６は、摩擦抵抗の小さい直動ガイド４２及びボールスプライン４４によって昇降移動自在に支持されている。これにより、浮動ピン１６は、小さい力が作用するだけで上下移動することができる。なお、これらの直動ガイド４２及びボールスプライン４４は、基板１８に立設されたコラム４６に固定されている。
【００１７】
次に、前記の如く構成された基準面出し装置１０の作用について説明する。
まず、浮動ピン１６、１６上にパネル１２の内面を載置すると、パネル１２の自重で浮動ピン１６、１６が下降移動し始める。これと同時に、パネル１２が浮動ピン１６、１６を結ぶ対角線回りに傾いて、固定ピン１４、１４のうち一つの固定ピン１４に当接する。そして、パネル１２の継続する下降移動によって、パネル１２が固定ピン１４、１４の残りの固定ピン１４に当接した時に、パネル１２が４点支持されて基準面が出される。
【００１８】
ところで、本実施の形態の浮動機構２０は、浮動ピン１６、１６の下部にローラ２６、２６を設け、このローラ２６、２６を、揺動支持部２４、２４で両端が支持されたプレート２２にころがり接触させた機構としている。よって、本実施の形態では、浮動機構２０が装置の側方に出っ張らずコンパクトになるので、基準面出し装置１０全体が小型化する。
【００１９】
また、前記浮動機構２０によれば、浮動ピン１６、１６にパネル１２の自重がかかると、前記ローラ２６、２６はプレート２２上を転動しながらプレート２２を押して下降するので、前記したように浮動ピン１６、１６が円滑に下降移動する。
そして、パネル１２の基準面出し終了後に、パネル１２を４つのピン１４、１４、１６、１６から取り外すと、前記プレート２２がバランスウェイト２８、２８によって揺動して元の位置に復帰する。この時、ローラ２６、２６はプレート２２に押されてプレート２２上を転動しながら上昇するので、浮動ピン１６、１６が円滑に上昇移動する。したがって、本実施の形態の基準面出し装置１０は、浮動ピン１６、１６を円滑に動作させることができる
一方、本実施の形態では、前記プレート２２をサポート部材３２のナイフエッジによって揺動自在に支持している。このように、プレート２２をナイフエッジで支持すると、特公昭４７−８２６０号公報のように軸受（ベアリング）で支持する装置や、特公昭４９−３８７３９号公報のようにスプリングで支持する装置と比較して、プレート２２の揺動抵抗を大幅に低減することができる。よって、本実施の形態の基準面出し装置１０は、従来の基準面出し装置と比較して、軽量のパネル１２でも使用することができる。
【００２０】
なお、本実施の形態では、パネル１２に適用される基準面出し装置１０について説明したが、ファンネルに適用される基準面出し装置にも適用することができ、これらの形状寸法の測定や各種の加工時の基準面出し装置として使用できる。また、例示の支持部材ではパネルの内面から基準面出しをするために先端が球面状となっているが、この先端形状は製品のどこを基準に基準出しするかにより変えられる。例えば、パネル等の端面を支持して基準出しする場合には、前記球面状のものより細長支持面を有するバー状のものが望ましい。
【００２１】
また、本実施の形態では、４点のピン１４、１４、１６、１６のうち一対のピン１６、１６を浮動させたが、４点全てのピン１４、１４、１６、１６を浮動させても良い。
【００２２】
【発明の効果】
以上説明したように本発明に係るガラス製品の基準面出し装置によれば、上下移動する一対の支持部材の下部にローラを設け、このローラを、揺動支持手段で支持されたプレートにころがり接触させて浮動機構を構成したので、浮動機構がコンパクトになり装置を小型化できる。また、一対の支持部材を円滑に上下移動させることができる。
【００２３】
更に、本発明は、プレートをナイフエッジ部材によって揺動自在に支持することによりプレートの揺動抵抗を大幅に低減したので、軽量のガラス製品でも使用することができる。
【図面の簡単な説明】
【図１】本発明の実施の形態に係るガラス製品の基準面出し装置の上面図
【図２】図１のガラス製品の基準面出し装置を矢印Ａ方向から見た側面図
【図３】図１のガラス製品の基準面出し装置の斜視図
【図４】図１のガラス製品の基準面出し装置の浮動機構を示す要部斜視図
【符号の説明】
１０…基準面出し装置
１２…ＴＶブラウン管用パネル
１４…固定ピン
１６…浮動ピン
２０…浮動機構
２２…プレート
２４…揺動支持部
２６…ローラ
２８…バランスウェイト
３２…サポート部材
【図１】
0003661910.tif 000002
【図２】
0003661910.tif 000003
【図３】
0003661910.tif 000004
【図４】
0003661910.tif 000005